(57)【特許請求の範囲】
【請求項１】
短筒状のランプ台座（１）上には、発光ダイオード（２）が取付けられると共に該発光ダイオード（２）の周囲を覆う透明なカバー（３）が取付けられ、且つ、少なくとも、前記ランプ台座（１）の側壁には外ネジ部（1a）を設けると共に、前記ランプ台座（１）の底部側にはネジ穴（1b）を穿設し、且つ、前記ランプ台座（１）のネジ穴（1b）内に装着するボタン電池（６）と、該ボタン電池（６）を保持する蓋体（７）とが具備され、更に、前記ランプ台座（１）の外ネジ部（1a）に挿入し螺合するネジ穴（9a）を有すると共に前記透明なカバー（３）の先端部に密着するように穿設したカバー密着穴(9b)を有し、且つ、光ファイバー（10）を複数本結束させて取付けた光源取付部材（９）が具備されたことを特徴とする発光ダイオードランプ。
【発明の詳細な説明】
【技術分野】
【０００１】
本発明はディスプレイなどに用いる発光ダイオードランプに関する。
【背景技術】
【０００２】
従来、発光ダイオードを用いた装着自在なランプとしては、特開２００３−１７３７０３や特開２００４−１８５９９３などがある。特開２００３−１７３７０３は、複数の発光ダイオードと、基板と、半透明又は乳白色の透光性ケースとを備え、発光ダイオードは少なくとも２色以上から構成され、第１の色の発光ダイオードの周囲を囲むように第２の色の発光ダイオードを２以上配置したものである。
【０００３】
また特開２００４−１８５９９３は、発光ダイオードランプが口金装着部と基板収容部とを有したケースを備え、基板収容部内に基板が収容され、基板裏面に回路パターンが形成され、また入力端子と出力端子とを備えた整流ブリッジが実装され、基板の表面に一対のリードフレームが整流ブリッジの入力端子から出力端子に向う方向に沿うように発光ダイオードが取付けられたものである。
【０００４】
しかしながら、特開２００３−１７３７０３や特開２００４−１８５９９３の図中には、口金を設けて電球状に形成し、それを装着自在にしたものが開示されているが、この用途は照明専用であった。また前記発光ダイオードランプには必ず配線されたソケットが必要であり、該ソケットに発光ダイオードランプを取付けて始めて発光されるものであるため、本発明のような電池を入れて携帯用に使用し、且つ、配線された電源取付部材（アタッチメント）に取付けて電装用に使用したりする電源の汎用化は不可能であった。
【０００５】
尚、特開２００３−３１７５１６は、光ファイバーの端部に複数のＬＥＤが配置され、一部重ね合せて色の合成を可能とする光ファイバー装飾装置であり、これはＬＥＤ光源ユニットと光ファイバーから構成され、看板，室外装飾，バス広告，室内装飾，水槽内装飾，ユニット式クリスマスツリー，衣服等の用途が記載されている。一方、登録実用新案第３１１６９０４号は、ＬＥＤ等の発光手段を内装する発光部と、該発光部の基部に一体的に形成されたライト本体と、該ライト本体に連設された延長ステムとを備えたステックライトであり、その用途は、ケーキ等の食品に刺し、花束等の装身具，グラス等の容器，花器の室内装飾品，鉢植え等の観賞用植物などと一緒に刺して使用できることが記載されている。
【０００６】
しかしながら、特開２００３−３１７５１６や登録実用新案第３１１６９０４号の用途は広いが、専用具であるため、本発明のように付属部品の装着を可能とし、より多くの用途が期待できないものであった。しかも、本発明の効果である電池を入れて携帯用に使用し、且つ、配線された電源取付部材（アタッチメント）に取付けて電装用に使用したりする電源の汎用化は不可能であった。
【先行技術文献】
【特許文献】
【０００７】
【特許文献１】特開２００３−１７３７０３号公報
【特許文献２】特開２００４−１８５９９３号公報
【特許文献３】特開２００３−３１７５１６号公報
【特許文献４】登録実用新案第３１１６９０４号公報
【発明の概要】
【発明が解決しようとする課題】
【０００８】
本発明は既存の雑貨，照明器具類，服装，花束，プリザーブドフラワーアレンジメント，園芸などのディスプレイ及び室内外の空間などに応用した用途範囲が広い発光ダイオードランプを提供することを目的とする。
【課題を解決するための手段】
【０００９】
本発明は上記現状に鑑みて成されたものであり、つまり、短筒状のランプ台座上には、発光ダイオードが取付けられると共に該発光ダイオードの周囲を覆う透明なカバーが取付けられ、且つ、少なくとも、ランプ台座の側壁には外ネジ部を設けると共に、ランプ台座の底部側にはネジ穴を穿設し、且つ、ランプ台座のネジ穴内に装着するボタン電池と、該ボタン電池を保持する蓋体とが具備され、更に、ランプ台座の外ネジ部に挿入し螺合するネジ穴を有すると共に透明なカバーの先端部に密着するように穿設したカバー密着穴を有し、且つ、光ファイバーを複数本結束させて取付けた光源取付部材が具備された構造とする。
【発明の効果】
【００１０】
請求項１のように短筒状のランプ台座（１）上には、発光ダイオード（２）が取付けられると共に該発光ダイオード（２）の周囲を覆う透明なカバー（３）が取付けられ、且つ、少なくとも、ランプ台座（１）の側壁には外ネジ部（1a）を設けると共に、ランプ台座（１）の底部側にはネジ穴（1b）を穿設した構造とすることにより、ボタン電池，ソーラー電池，直流電源などの多種の電源が使用可能となり、電源の汎用化が可能になると共に小型化が図れるものとなる。又、本発明品は、既存の雑貨，照明器具類，服装，花束，プリザーブドフラワーアレンジメント，園芸などのディスプレイ及び室内外の空間などに応用した用途範囲が広いものとなる。
またランプ台座（１）のネジ穴（1b）内に装着するボタン電池（６）と、該ボタン電池（６）を保持する蓋体（７）とが具備されることにより、発熱がなく発光されるものとなり、特にボタン電池（６）が用いられるため、既存の雑貨，照明器具類，服装，花束，プリザーブドフラワーアレンジメントなどのディスプレイとして対応できるものとなる。
更にランプ台座（１）の外ネジ部（1a）に螺合するネジ穴（9a）を有すると共に透明なカバー（３）の先端部に密着するように穿設したカバー密着穴(9b)を有し、且つ、光ファイバー（10）を複数本結束させて取付けた光源取付部材（９）が具備されることにより、発光ダイオードランプ（Ａ）に、複数本の光ファイバー（10）が装着自在となるため、発光ダイオード（２）の発光色の好みに合せたものに取付け交換が可能となり、多種のアレンジが可能となる。
【図面の簡単な説明】
【００１１】
【図１】本発明の実施形態を示す説明図である。
【図２】本実施形態の組立状態を示す説明図である。
【図３】本発明に差込み機能を持たせた説明図である。
【図４】本発明にクリップ機能を持たせた説明図である。
【図５】本発明の使用状態を示す説明図である。
【図６】本発明の別用途を示す説明図である。
【発明を実施するための最良の形態】
【００１２】
以下、本発明の実施形態を図１に基づいて説明する。（１）は絶縁性を有した短筒状で合成樹脂製のランプ台座であり、該ランプ台座（１）の側壁には外ネジ部（1a）が設けられると共にランプ台座（１）の底部側にはネジ穴（1b）が穿設されている。このネジ穴（1b）の大きさは、後述するボタン電池（６）の形状に対応したものと成している。（２）はランプ台座（１）上に取付けられた発光ダイオードであり、該発光ダイオード（２）は１個に限定されず、２個以上取付けたものとしても良い。また発光ダイオード（２）の発光色は赤色，緑色，青色など適宜な色を用いれば良い。（３）は発光ダイオード（２）の周囲を覆うために取付けられた透明なカバーであり、該透明なカバー（３）の形状は図中に示した形状に限定されるものではない。また透明なカバー（３）の材質は、合成樹脂が好ましいが、ガラスや透明な他のものでも良い。
【００１３】
（４）は発光ダイオード（２）の陽極端子に接続した銅製の陽極部材であり、該陽極部材（４）はネジ穴（1b）上部に突起させて後述するボタン電池（６）などの陽極に接触し易い形状に形成されている。（５）は発光ダイオード（２）の陰極端子に接続した銅製の陰極部材であり、該陰極部材（５）はネジ穴（1b）の内壁に沿って配置されている。（６）はランプ台座（１）のネジ穴（1b）に装着するためのボタン電池である。尚、前記ボタン電池（６）の代りに、ソーラー電池や後述する直流電源を用いるための電源取付部材（12）を用いても良い。（７）はランプ台座（１）のネジ穴（1b）に挿入し螺合するネジ部（7a）を有した導電性で且つ金属製の蓋体であり、該蓋体（７）はボタン電池（６）を保持する役目が果せるものであれば良く、一般的な懐中電灯で用いる蓋体と略同一の構造のものを用いれば良い。（８）は蓋体（７）の内側底部に固着した導電性で且つ金属製のバネである。尚、このバネ（８）の形状は図中のものに限定されるものではない。
【００１４】
（９）は光ファイバー（10）が複数本結束されて取付けられた光源取付部材であり、該光源取付部材（９）には、ランプ台座（１）の外ネジ部（1a）に螺合して装着するネジ穴（9a）と、透明なカバー（３）の先端部に密着するように穿設した透明なカバー密着穴（9b）とがある（図２、図３参照）。前記光ファイバー（10）はカバー密着穴（9b）と略面一になるように取付けられている。この光源取付部材（９）は、発光ダイオードランプ（Ａ）にボタン電池（６）を装着し、蓋体（７）を取付けて発光ダイオード（２）が点灯した状態にすると共に、その後、光源取付部材（９）を、ランプ台座（１）の外ネジ部（1a）に螺合して装着させる。この時、透明なカバー（３）の先端部を光源取付部材（９）のカバー密着穴（9b）に密着させておくと、光ファイバー（10）の端部が図２のように密着して取付けられる。点灯時には、光ファイバー（10）の先端から発光ダイオード（２）の発光色を散乱させたものとして発光される。次に発光ダイオード（２）を消灯する時は蓋体（７）を弛めれば良い。
【００１５】
このように光源取付部材（９）をランプ台座（１）に装着し、それを図５に示すようにオアシスなどの吸水部材の上に載置すると共に所定長さの光ファイバー（10）の先端を花や葉の間から適宜に突出させる。すると、一般の生花にインテリア効果を更に高めるものとなる。この時、光ファイバー（10）を水引のように形成させて装飾し、或いはさまざまな形状にして取付ければ、より楽しむことができるものとなる。また光ファイバー（10）の代りに、ＥＬファイバー，フレキシブル発光ロッド，ライトファイバーなどによる電飾としても良い。
【００１６】
また図２の状態のものをテーブルや机の上に載置し、光ファイバー（10）をススキのように外側へ湾曲させるだけで、目新しいインテリアとして楽しむことができるものとなる。更に色々な発光色の発光ダイオード（２）の発光ダイオードランプ（Ａ）を用意し、図１の状態のものを組立てて、それをテーブルや机の上、或いは床や地面の上に載置することにより、ローソク風の目新しい照明或いはインテイアとして楽しむことができるものとなる。
【００１７】
図３は本発明に差込み機能を持たせた使用例を示す図であり、これについて説明する。本発明で使用する蓋体（７）に尖鋭状の差込部（7b）を突出させたものを用意し、図２の状態のものと同様に組込まれたものを、図５に示すようにオアシスなどの吸水部材の上に差込んで上記同様にして使用しても良い。又、この時、剱山を使用して生花が生けられている場合には、差込部（7b）を剱山に差込むか或いは剱山の間に差込んで立設させてから使用しても良い。更に、図３の状態のものを組立てて、それを地面や柔らかい物に差込んで立設させた照明具、或いはインテリアとして楽しむことができるものとなる。
【００１８】
図４は本発明に挟持機能を持たせた使用例を示す図であり、これについて説明する。予めボタン電池（６）を保持する蓋体部（７’）と、該蓋体部（７’）に連結すると共に挟持機能を有した装着部材（11）を用意しておく。使用する時には、本発明の発光ダイオードランプ（Ａ）にボタン電池（６）を装着し、蓋体部（７’）のネジ部（11a）にランプ台座（１）のネジ穴（1b）を螺合させることにより、発光ダイオード（２）が点灯される。点灯された発光ダイオードランプ（Ａ）は装着部（11b）を衣服や頭髪にクリップ（挟持）して取付けられ、アクセサリーとして楽しむことが可能なものとなる。この時の発光ダイオード（２）を消灯する際は、ランプ台座（１）を弛めて蓋体部（７’）から浮かせれば良い。又、図４の状態で、所定長さの光ファイバー（10）が複数本結束されて取付けられた光源取付部材（９）を、ランプ台座（１）の外ネジ部（1a）に螺合して取付け、それを花瓶や鉢に生けられた生花や造花の茎にクリップして取付け、花や葉の間から光ファイバー（10）の先端を適宜に突出させることにより、一般の生花にインテリア効果が更に高められるものとなる。
【００１９】
図６は本発明の別用途を示す図であり、これはボタン電池（６）を用いずに直流電源部材（Ｂ）を用いるものであり、この図面に基づいて説明する。この時のランプ台座（１），発光ダイオード（２），透明なカバー（３），陽極部材（４），陰極部材（５）は図１に示す実施形態と同一の発光ダイオードランプ（Ａ）を用いると良い。この場合には、発光ダイオードランプ（Ａ）を多数取付けるための直流電源部材（Ｂ）が設けられており、該直流電源部材（Ｂ）には、ランプ台座（１）のネジ穴（1b）に挿入し螺合するネジ部（12a）を有すると共に前記発光ダイオード（２）が点灯されるための多数の電源取付部材（12）と、該電源取付部材（12）が配線されるためのケーブル（13）とから少なくとも構成されたものを用いると良い。また直流電源部材（Ｂ）には、図示しない変圧器，リレー，変換器などを設けておくと良い。前記電源取付部材（12）には、外側にネジ部（12a）を有した蓋体状で導電性の金属板が設けられており、中心に棒状の陽極部材（12b）が、絶縁性の合成樹脂を介して配置されている。尚、前記ネジ部（12a）の長さは、ボタン電池（６）の長さ分を考慮して決められる。
【００２０】
次に前記発光ダイオードランプを電飾する場合について説明する。予めケーブル（13）には直流電源と接続しておく。先ず、ケーブル（13）に配線した多数の電源取付部材（12）のネジ部（12a）に、発光ダイオードランプ（Ａ）のネジ穴（1b）を挿入して螺合させる。すると、陽極部材（４）の突起が電源取付部材（12）の陽極部材（12b）と接触すると共に、陰極部材（５）がネジ部（12a）の金属部と螺合し接触するため、発光ダイオード（２）は点灯される。この時、図示しないが、光ファイバー（10）が複数本結束されて取付けられた光源取付部材（９）を、ランプ台座（１）の外ネジ部（1a）に螺合して装着された状態としておくと良い。又、この時、光ファイバー（10）の先端からは発光ダイオード（２）の発光色を散乱させたものとして発光される。このようにして各電源取付部材（12）に発光ダイオードランプ（Ａ）を取付けて行けば、順次発光ダイオードランプ（Ａ）は点灯されて行くのである。この時、発光ダイオード（２）の発光色の異なる発光ダイオードランプ（Ａ）を用意し、カラフルな発光色になるように発光ダイオードランプ（Ａ）を取付けると良い。また発光ダイオードランプ（Ａ）の点滅は、図示しない点滅装置を直流電源部材（Ｂ）に取付けて制御すると良い。
【００２１】
このように発光ダイオードランプ（Ａ）を用いた電装は、クリスマスツリーの電飾用，園芸のディスプレイ，室内外の空間の演出用などとして広い用途に使用できる。上記のように本発明の発光ダイオードランプ（Ａ）は、ボタン電池，ソーラー電池などを入れて携帯用に利用できる一方、直流電源部材（Ｂ）の電源取付部材（12）に取付ければ家庭用電源からの使用が可能となるため、電源の汎用化が可能となる。更に照明用以外に、所定長さの光ファイバー（２），ＥＬファイバー，フレキシブル発光ロッド，ライトファイバーなどによる電飾も行えるので、多種のアレンジが可能なものとなるため、既存の雑貨，服装，花束，プリザーブドフラワーアレンジメントなどに本発明品を用いれば、用途がより広いものとなる。
【符号の説明】
【００２２】
１  ランプ台座
1a  外ネジ部
1b  ネジ穴
２  発光ダイオード
３  透明なカバー
６  ボタン電池
７  蓋体
９  光源取付部材
9a  ネジ穴
9b  カバー密着穴
10  光ファイバー
【図１】
0005286203.tif 000002
【図２】
0005286203.tif 000003
【図３】
0005286203.tif 000004
【図４】
0005286203.tif 000005
【図５】
0005286203.tif 000006
【図６】
0005286203.tif 000007